【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】
【請求項１】  所定方向に回転される回転体と、
前記回転体に搭載されたＸ線管装置と、
被検体を透過したＸ線を検出するために前記Ｘ線管装置に対向するＸ線検出器と、
前記回転体に搭載されたラジエータと、
前記Ｘ線管装置と前記ラジエータとの間で流体を循環するための循環系とを具備し、
前記ラジエータは、前記回転体の回転に伴って空気が通過する向きに配置されていることを特徴とするＸ線コンピュータトモグラフィ装置。
【請求項２】  前記ラジエータは、前記回転体の回転方向において前記Ｘ線管装置よりも前方に配置されることを特徴とする請求項１記載のＸ線コンピュータトモグラフィ装置。
【請求項３】  前記ラジエータは、その面の垂線が、前記回転体の回転軸を中心とした円の前記ラジエータの位置における接線に対して、略平行になるように、配置されることを特徴とする請求項１記載のＸ線コンピュータトモグラフィ装置。
【請求項４】  所定方向に回転される回転体と、
前記回転体に搭載されたＸ線管装置と、
被検体を透過したＸ線を検出するために前記Ｘ線管装置に対向するＸ線検出器と、
前記回転体に搭載されたラジエータユニットとを具備し、
前記ラジエータユニットは、
筒状の筐体と、
前記筐体の前方の開口に、前記回転体の回転に伴って空気が通過する向きではめ込まれているラジエータと、
前記Ｘ線管装置と前記ラジエータとの間で流体を循環するための循環系と、
前記筐体の後方に開けられたラジエータ空気出口とを有することを特徴とするＸ線コンピュータトモグラフィ装置。
【請求項５】  前記ラジエータユニットは、前記ラジエータ空気出口を開閉する開閉器をさらに有することを特徴とする請求項４記載のＸ線コンピュータトモグラフィ装置。
【請求項６】  前記Ｘ線管装置の温度と前記流体の温度との少なくとも一方が所定の温度以上を維持するように、前記開閉器を制御するコントローラをさらに備えることを特徴とする請求項５記載のＸ線コンピュータトモグラフィ装置。
【請求項７】  前記Ｘ線管装置の温度と前記流体の温度との少なくとも一方が、所定のしきい値を超えたとき、前記ラジエータ空気出口を開け、前記Ｘ線管装置の温度と前記流体の温度との少なくとも一方が、前記しきい値以下のとき、前記ラジエータ空気出口を閉めるように、前記開閉器を制御するコントローラをさらに備えることを特徴とする請求項５記載のＸ線コンピュータトモグラフィ装置。
【請求項８】  前記ラジエータユニットは、前記筐体内の空気を強制的に排出するためのファンユニットをさらに有することを特徴とする請求項５記載のＸ線コンピュータトモグラフィ装置。
【請求項９】  前記Ｘ線管装置の温度と前記流体の温度との少なくとも一方所定の温度以上を維持するように、前記開閉器と前記ファンユニットとを制御するコントローラをさらに備えることを特徴とする請求項８記載のＸ線コンピュータトモグラフィ装置。
【請求項１０】  前記Ｘ線管装置の温度と前記流体の温度との少なくとも一方が、下方しきい値を超えたとき、前記ラジエータ空気出口を開け、前記Ｘ線管装置の温度と前記流体の温度との少なくとも一方が、前記下方しきい値以下のとき、前記ラジエータ空気出口を閉めるように、前記開閉器を制御し、
前記Ｘ線管装置の温度と前記流体の温度との少なくとも一方が、上方しきい値を超えたとき、前記ファンユニットを運転し、前記Ｘ線管装置の温度と前記流体の温度との少なくとも一方が、前記上方しきい値以下のとき、前記ファンユニットを停止するように、前記ファンユニットを制御するコントローラをさらに備えることを特徴とする請求項８記載のＸ線コンピュータトモグラフィ装置。
【請求項１１】  前記ラジエータユニットは、前記ラジエータに冷気を供給するためのクーラーユニットをさらに有することを特徴とする請求項８記載のＸ線コンピュータトモグラフィ装置。
【請求項１２】  前記Ｘ線管装置の温度と前記流体の温度との少なくとも一方が、下方しきい値を超えたとき、前記ラジエータ空気出口を開け、前記Ｘ線管装置の温度と前記流体の温度との少なくとも一方が、前記下方しきい値以下のとき、前記ラジエータ空気出口を閉めるように、前記開閉器を制御し、
前記Ｘ線管装置の温度と前記流体の温度との少なくとも一方が、上方しきい値を超えたとき、前記ファンユニットを運転し、前記Ｘ線管装置の温度と前記流体の温度との少なくとも一方が、前記上方しきい値以下のとき、前記ファンユニットを停止するように、前記ファンユニットを制御し、
前記Ｘ線管装置の温度と前記流体の温度との少なくとも一方が、前記上方しきい値よりも高く設定されている上限値を超えたとき、前記クーラーユニットを運転し、前記Ｘ線管装置の温度と前記流体の温度との少なくとも一方が、前記上限値以下のとき、前記クーラーユニットを停止するように、前記クーラーユニットを制御するコントローラをさらに備えることを特徴とする請求項１１記載のＸ線コンピュータトモグラフィ装置。
【請求項１３】  前記ラジエータユニットは、前記ラジエータ空気出口にはめ込まれた空気フィルタをさらに有することを特徴とする請求項４記載のＸ線コンピュータトモグラフィ装置。
【請求項１４】  ガントリ筐体と、
前記ガントリ筐体に収納され、所定方向に回転される回転体と、
前記回転体に搭載されたＸ線管装置と、
被検体を透過したＸ線を検出するために前記Ｘ線管装置に対向するＸ線検出器と、
前記ガントリ筐体に設けられた排気口と、
前記ガントリ筐体に設けられた吸気口と、
前記排気口と前記吸気口との少なくとの一方に設けられた換気ファンユニットと、
前記回転体が停止しているとき、前記換気ファンユニットを運転し、前記回転体が回転しているとき、前記換気ファンユニットを停止するように、前記換気ファンユニットを制御するコントローラとを具備することを特徴とするＸ線コンピュータトモグラフィ装置。
【請求項１５】  前記排気口を開閉する開閉器をさらに備えることを特徴とする請求項１４記載のＸ線コンピュータトモグラフィ装置。
【請求項１６】  前記コントローラは、前記ガントリ筐体の内部温度が所定温度以下のとき、前記排気口を閉じるように、前記開閉器を制御することを特徴とする請求項１５記載のＸ線コンピュータトモグラフィ装置。
【請求項１７】  被検体の周囲を回転しながらＸ線を発生するＸ線管装置と、
前記Ｘ線管装置を冷却するための冷却装置と、
前記被検体を透過したＸ線を検出するためのＸ線検出器と、
前記Ｘ線管装置と前記冷却装置と前記Ｘ線検出器とを収納するガントリ筐体と、
前記ガントリ筐体の内部空気を換気するための換気システムと、
前記ガントリ筐体の内部空気の温度と、前記Ｘ線管装置のＸ線発生状態と、前記Ｘ線管装置の回転の状態との少なくとも１つに基づいて、前記冷却装置とともに前記換気システムを制御する制御ユニットとを具備することを特徴とするＸ線コンピュータトモグラフィ装置。
【請求項１８】  前記換気システムは、前記ガントリ筐体に設けられた排気口と吸気口とを有することを特徴とする請求項１７記載のＸ線コンピュータトモグラフィ装置。
【請求項１９】  前記換気システムは、前記排気口と前記吸気口との少なくとも一方に設けられた換気ファンユニットを有することを特徴とする請求項１８記載のＸ線コンピュータトモグラフィ装置。
【請求項２０】  前記換気システムは、前記排気口と前記吸気口との少なくとも一方を開閉する開閉器を有することを特徴とする請求項１８記載のＸ線コンピュータトモグラフィ装置。
【請求項２１】  前記冷却装置は、ラジエータと、前記ラジエータと前記Ｘ線管装置との間で流体を循環するための循環系とを有することを特徴とする請求項１７記載のＸ線コンピュータトモグラフィ装置。
【請求項２２】  被検体の周囲を回転しながらＸ線を発生するＸ線管装置と、
前記被検体を透過したＸ線を検出するためのＸ線検出器と、
前記Ｘ線検出器により得られたデータに基づいて前記被検体のＣＴ像を再構成する再構成装置と、
前記Ｘ線管装置を冷却するための冷却装置と、
前記Ｘ線管装置の温度を監視する監視装置と、
前記監視装置によって検出された温度に応じて、前記Ｘ線管装置が所定温度以上となるように前記冷却装置を制御するコントロールユニットとを具備することを特徴とするＸ線コンピュータトモグラフィ装置。
【手続補正２】
【補正対象書類名】明細書
【補正対象項目名】０００７
【補正方法】変更
【補正の内容】
【０００７】
【課題を解決するための手段】
本発明は、所定方向に回転される回転体と、前記回転体に搭載されたＸ線管装置と、被検体を透過したＸ線を検出するために前記Ｘ線管装置に対向するＸ線検出器と、前記回転体に搭載されたラジエータと、前記Ｘ線管装置と前記ラジエータとの間で流体を循環するための循環系とを具備し、前記ラジエータは、前記回転体の回転に伴って空気が通過する向きに配置されていることを特徴とする。